(57)【要約】【課題】電動送風機の入力の異なるモード毎、あるいは使用状況に応じて、電動送風機の操作時間や使用実態を把握し、信頼性を向上すること。【解決手段】電動送風機２と、入力の異なる複数のモードを有して前記電動送風機２の動作を制御する制御手段１０と、モードを切り換える切換手段と、前記複数のモードのうち、少なくとも１つ以上のモードの動作時間を計時する第１の計時手段１３と、不揮発性の記憶手段２０とを備え、前記記憶手段２０は前記第１の計時手段１３の計時する時間を記憶する構成とした。これにより、記憶手段２０が電気掃除機使用時の電動送風機２の入力等、少なくとも１つ以上の使用状況に応じた動作時間を記憶するため、記憶手段２０の記憶したデータを解析することにより、実際の使用状況を把握することができ、信頼性を向上できる。【選択図】図１
2006055255.tif 000002
【特許請求の範囲】
【請求項１】
電動送風機と、入力の異なる複数のモードを有して前記電動送風機の動作を制御する制御手段と、モードを切り換える切換手段と、前記複数のモードのうち、少なくとも１つ以上のモードの動作時間を計時する第１の計時手段と、不揮発性の記憶手段とを備え、前記記憶手段は前記第１の計時手段の計時する時間を記憶する電気掃除機。
【請求項２】
複数のモードの累計動作時間を計時する第２の計時手段を備え、記憶手段は第１の計時手段の計時する時間と、第２の計時手段の計時する時間を記憶する請求項１記載の電気掃除機。
【請求項３】
切換手段を、電動送風機の風量を検出する風量検出手段、または電動送風機が発生させる圧力を検出する圧力検出手段、または電動送風機に流れる電流を検出する電流検出手段とした請求項１又は２記載の電気掃除機。
【請求項４】
電動送風機もしくは前記電動送風機近傍の温度を検出する温度検出手段を有し、前記温度検出手段の検出する温度に応じて、少なくとも第１の計時手段の計時する時間、第２の計時手段の計時する時間の何れかに補正をかける温度補正手段を有する請求項１〜３のいずれか１項記載の電気掃除機。
【請求項５】
電源電圧を検出する電圧検知手段を有し、前記電圧検知手段の検出する電圧に応じて、少なくとも第１の計時手段の計時する時間、第２の計時手段の計時する時間の何れかに補正をかける電圧補正手段を有する請求項１〜３のいずれか１項記載の電気掃除機。
【請求項６】
電動送風機もしくは前記電動送風機近傍の温度を検出する温度検出手段と、前記温度検出手段の検出する温度が所定温度以上になった回数を計数する計数手段を有し、記憶手段は、前記計数手段の計数する回数を記憶する請求項１〜５のいずれか１項記載の電気掃除機。
【請求項７】
電動送風機もしくは前記電動送風機近傍の温度を検出する温度検出手段を有し、記憶手段は、少なくとも最高温度を含む前記温度検出手段の検出する温度を記憶する請求項１〜５のいずれか１項記載の電気掃除機。
【請求項８】
記憶手段は、少なくとも最低温度を含む前記温度検出手段の検出する温度を記憶する請求項７記載の電気掃除機。
【請求項９】
電源電圧を検出する電圧検知手段を有し、記憶手段は、少なくとも最高電圧を含む前記電圧検知手段の検出する電圧を記憶する請求項１〜５のいずれか１項記載の電気掃除機。
【請求項１０】
記憶手段は、少なくとも最低電圧を含む前記電圧検知手段の検出する電圧を記憶する請求項９記載の電気掃除機。
【請求項１１】
記憶手段は、制御手段が電動送風機を停止させるモードに切り換える時に記憶動作を行う請求項１〜１０のいずれか１項記載の電気掃除機。
【請求項１２】
電源電圧を検出する電圧検知手段を有し、記憶手段は、前記電圧検知手段の検出する電圧が所定の電圧以下になった時に記憶動作を行う請求項１〜１０のいずれか１項記載の電気掃除機。
【発明の詳細な説明】
【技術分野】
【０００１】
本発明は、一般家庭用、もしくは業務用の電気掃除機の制御に関するものである。
【背景技術】
【０００２】
図６に従来の電気掃除機の概略構成図を示す。図６において、１は電気掃除機本体、２は本体１に内蔵し、吸い込み力を発生する電動送風機、３は電動送風機２の異なった入力（供給電力）での動作モードを切り換える切換手段４を有したホース、５は延長管、８は被清掃面に接して塵埃等を吸い込む吸込具、６は吸引した塵埃を蓄積しておく集塵室である。ホース３と集塵室６は、本体１に設けた吸気口７を介して接続され、集塵室６とホース３と延長管５と吸込具８で吸気経路を形成している。
【０００３】
本体１に設けた制御手段（図示せず）は、切換手段４にて設定されるモードに応じて電動送風機２の入力（供給電力）を制御するように構成されている。
【０００４】
上記のように構成された電気掃除機は、使用者が切換手段４を操作して電動送風機２に電力を供給し、電動送風機２への電力供給が停止している停止モードから、動作モードへ移行すると、吸込具８から吸引された塵埃が、吸気経路を経由して集塵室６に蓄積される。
【０００５】
この種の電気掃除機には、電動送風機２としては、整流子モータが用いられることが多く、ブラシが整流子に接触、回転しながら整流子に駆動電流を供給するため、ブラシレスモータと比較して、メンテナンスの頻度が多くなるため、電気掃除機本体に通電された時間、回数と電動送風機２への通電の時間を不揮発性メモリに記憶して時間管理を可能にしているものもある（特許文献１参照）。
【０００６】
整流子モータ、特にブラシの耐久性は、電動送風機２に流れる電流、印加される電圧、電力や温度により影響を受けるものである。
【特許文献１】特開２００４−０００４５２号公報
【発明の開示】
【発明が解決しようとする課題】
【０００７】
しかしながら、前記従来の構成では、電動送風機２に関しては、通電時間しか記憶していないため、通電時間が同じであれば、電動送風機２の入力（供給電力）が異なった場合や、使用者のモードの使い方にかかわらず、同じ通電時間となってしまい、実際の使用状況下での差がでないという信頼性面での課題を有していた。
【０００８】
本発明は、前記従来の課題を解決するもので、電動送風機２の入力の異なるモードに対しての使用者の使い方に関係なく、高精度で電気掃除機の動作時間を管理できることを目的とする。
【課題を解決するための手段】
【０００９】
前記従来の課題を解決するために、本発明の電気掃除機は、入力の異なる複数のモードを有して前記電動送風機の動作を制御する制御手段と、モードを切り換える切換手段と、前記複数のモードのうち、少なくとも１つ以上のモードの動作時間を計時する第１の計時手段と、不揮発性の記憶手段とを備え、前記記憶手段は前記第１の計時手段の計時する時間を記憶する構成とするものである。
【００１０】
これによって、モード毎に動作時間を記憶することができるので、モード毎に時間管理を行うことができる。
【発明の効果】
【００１１】
本発明の電気掃除機は、使用者の使い方にかかわらず、高精度で電気掃除機の動作時間や使用実態を把握でき、電気掃除機の性能、信頼性向上に貢献することができる。
【発明を実施するための最良の形態】
【００１２】
第１の発明は、電動送風機と、入力の異なる複数のモードを有して前記電動送風機の動作を制御する制御手段と、モードを切り換える切換手段と、前記複数のモードのうち、少なくとも１つ以上のモードの動作時間を計時する第１の計時手段と、不揮発性の記憶手段を有し、前記記憶手段は前記第１の計時手段の計時する時間を記憶するようにしたので、前記記憶手段が記憶したデータを回収することにより、前記モード毎の使用頻度の割合や、前記電動送風機への入力の大小を考慮した電気掃除機の動作時間を、高精度に把握することができる。
【００１３】
第２の発明は、複数のモードの累計動作時間を計時する第２の計時手段を有し、記憶手段は第１の計時手段の計時する時間と、第２の計時手段の計時する時間を記憶する構成としたので、電気掃除機の合計使用時間に対する、動作時間を記憶したモードの使用割合を把握することができる。
【００１４】
第３の発明は、第１〜２の発明のいずれか１つの発明の切換手段を、電動送風機の風量を検出する風量検出手段、または電動送風機が発生させる圧力を検出する圧力検出手段、または電動送風機に流れる電流を検出する電流検出手段としたので、風量または圧力または電流に応じて前記電動送風機への入力が切換えられる制御に対しても、モード毎の動作時間を把握することができる。
【００１５】
第４の発明は、第１〜３のいずれか１つの発明において、電動送風機、もしくは、前記電動送風機近傍の温度を検出する温度検出手段を有し、前記温度検出手段の検出する温度に応じて、少なくとも、第１の計時手段の計時する時間、第２の計時手段の計時する時間の何れかに補正をかける温度補正手段を設け、温度補正手段が予め設定した前記電動送風機の標準動作温度での動作時間に換算した時間を、記憶手段が記憶するので、前記電動送風機の温度に対して、より使用実態に近い動作時間を把握することができる。
【００１６】
第５の発明は、第１〜３のいずれか１つの発明において、電源電圧を検出する電圧検知手段を有し、前記電圧検知手段の検出する電圧に応じて、少なくとも、第１の計時手段の計時する時間、第２の計時手段の計時する時間の何れかに補正をかける電圧補正手段を有し、湿度補正手段が予め設定した前記電動送風機の標準動作電圧での動作時間に換算した時間を、記憶手段が記憶するので、電気掃除機、もしくは、前記電動送風に印加される電圧に対して、より使用実態に近い動作時間を把握することができる。
【００１７】
第６の発明は、第１〜５のいずれか１つの発明において、動送風機、もしくは前記電動送風機近傍の温度を検出する温度検出手段と、前記温度検出手段の検出する温度が所定温度以上になった回数を計数する計数手段を有し、記憶手段は、前記計数手段の計数する回数を記憶するようにしたので、動作時間に対する温度の影響をより高精度に把握することができる。
【００１８】
第７の発明は、第１〜５のいずれか１つの発明において、電動送風機、もしくは前記電動送風機近傍の温度を検出する温度検出手段を有し、記憶手段は、少なくとも、最高温度を含む前記温度検出手段の検出する温度を記憶するようにしたので、動作時間に対する温度の影響をより高精度に把握することができると共に、高温となる温度に対する使用実態も把握することができる。
【００１９】
第８の発明は、第７の発明において、記憶手段は、少なくとも、最低温度を含む前記温度検出手段の検出する温度を記憶するようにしたので、低温となる温度に対する使用実態も把握することができる。
【００２０】
第９の発明は、第１〜５のいずれか１つの発明において、電源電圧を検出する電圧検知手段を有し、記憶手段は、少なくとも、最高電圧を含む前記電圧検知手段の検出する電圧を記憶するようにしたので、動作時間に対する電気掃除機、もしくは電動送風機への印加電圧の影響をより高精度に把握することができると共に、高電圧となる電圧に対する使用実態も把握することができる。
【００２１】
第１０の発明は、第９の発明において、記憶手段は、少なくとも、最低電圧を含む前記電圧検知手段の検出する電圧を記憶するようにしたので、低電圧となる電圧に対する使用実態も把握することができる。
【００２２】
第１１の発明は、第１〜１０のいずれか１つの発明において、記憶手段は、制御手段が電動送風機を停止させるモードに切り換える時に記憶動作を行うようにしたので、必要最小限の記憶動作で、確実にデータを記憶することができる。
【００２３】
第１２の発明は、第１〜１０のいずれか１つの発明において、電源電圧を検出する電圧検知手段を有し、記憶手段は前記電圧検知手段の検出する電圧が、所定の電圧以下になった時に記憶動作を行うようにしたので、電気掃除機に印加される電圧が低下し、記憶動作が正常に行えなくなる前に、記憶動作を行い、記憶したデータの信頼性を向上することができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における電気掃除機のブロック図を示すものである。
【００２６】
図１において、１０は制御手段であり、切換手段としてのスイッチ１１により切り換え、設定されるモード（以下、ポジションと称す）に応じて、双方向生サイリスタ１２を位相制御して、電動送風機２に供給される電力を制御するよう構成している。１３は第１の計時手段であり、ポジション毎の動作時間を計時する構成され、１４は第２の計時手段であり、ポジション毎の動作時間の累計を計時するよう構成されている。
【００２７】
１５は、電動送風機２の近傍の温度を検出する温度検出手段であり、１６は商用電源である電源１７の電圧を検出する電圧検知手段であり、１８は、電動送風機２が吸引する空気、つまり、機器周辺の雰囲気の湿度を検出する湿度検出手段であり、第１の計時手段の計時する時間と第２の計時手段の計時する時間は、前記温度、電圧、湿度に応じて、補正手段１９にて補正されるよう構成されている。
【００２８】
２０は補正手段１９にて補正された時間を記憶する記憶手段であり、記憶するデータを保存する不揮発性のメモリであるＥＥＰＲＯＭ２１と、保存の判断と保存処理を行う書込手段２２とから構成される。
【００２９】
２３は電動送風機２に流れる電流を検出する電流検出手段であり、電流検出手段２３は、切換手段としての風量検出手段、もしくは圧力検出手段を、電流検出により実現したものである。
【００３０】
図３に電動送風機２の風量−電流特性、風量−真空度（圧力）特性を示すが、図３に示すように、電動送風機２の吸引する風量は、電動送風機２に流れる電流をモニタすることで検出することができる。すなわち、制御手段１０は、予め、電流検出手段２３の検出する電流と風量の関係を設定されており、制御手段は電流値により、電動送風機２が吸引する風量を検出することができる。同様に、図３に示す、特性から、圧力に対する電流値の関係を予め設定することにより、電流検出手段２３により、電動送風機２が発生させる真空度、もしくは、集塵室６ないの圧力を検出することができる。
【００３１】
上記制御手段１０、第１の計時手段１３、第２の計時手段１４、補正手段１９、書込手段２２は、マイクロコンピュータ２５で構成されている。
【００３２】
２６は、ＥＥＰＲＯＭ２１に記憶されたデータを表示するための表示手段である。
【００３３】
以上のように構成された電気掃除機について、以下、その動作、作用について説明する。
【００３４】
制御手段１０は、図２に示すように、電動送風機２への供給電力（入力）に応じて、「強」、「中」、「弱」と、電動送風機２への電力供給を停止する「停止」の４つポジションを有して電動送風機２を制御しており、制御手段１０が双方向生サイリスタ１２を位相制御することにより、電動送風機２への供給電力の可変を行っている。また、スイッチ１１もこの４つのポジションを切換えられる構成としている。
【００３５】
実際に、清掃に使用されるポジションは、「強」、「中」、「弱」の３つのポジション（以下、動作ポジションという）であり、第１の計時手段１３は、「停止」から、「強」、もしくは「中」に移行すると、計時を開始し、「停止」から動作ポジションに移行すると、第２の計時手段１４が計時を開始する。再び「停止」に移行すると第１の計時手段１３、第２の計時手段１４共に計時を中断し、計時中の時間を保持する。
【００３６】
この時、第１の計時手段１３と第２の計時手段１４は、機器の電源投入時にＥＥＰＲＯＭ２１から、その時点で保存されている、データ（時間情報）を読込み、その時間を初期値として、累積カウントを行う。
【００３７】
電圧検知手段１６は、電源１７の電圧レベルのみではなく、電源１７の電圧低下、もしくは、機器と電源１７の接続を監視しており、機器が電源１７から外されたり、何らかの要因により電圧が異常に低下したりして、マイクロコンピュータ２５が正常に動作出来ない状態になる前に、書込手段２２は、第１の計時手段１３と第２の計時手段１４が計時中、もしくは保持中のデータを、ＥＥＰＲＯＭ２１に書込み、保存する。
【００３８】
電動送風機２の耐久力は、様々な使用パラメータの影響を受け、状況、例えば、運転時の電動送風機２の入力や、吸気風量に応じて、耐久力の妥当性が異なる。従って、少なくとも、電動送風機２の入力の異なる３つのポジションに対して、どのポジションで、どれだけの時間使用されたか分からないと、耐久力に対する妥当性を判断することが出来ない。
【００３９】
一般的に、電動送風機２への供給電力が高い方が、回転数も高く、耐久力が低くなり、供給電力が低い方が、耐久力が高くなる。従って、図２に示すように、入力エリアをＷ０、Ｗ１、Ｗ２と、３つのエリアに分けて、「強」、「中」、「弱」の各々のポジションに対応させ、各々のエリアでの電動送風機２の妥当な耐久力を基準として、回収したＥＥＰＲＯＭ２１に記憶されたデータに対する電動送風機２の耐久状態とを比較することにより、基準と実使用との差異を認識し、基準を実使用に適合したものに改善しながら、電動送風機２の耐久性の改善を行うことができる。
【００４０】
また、風量に対しても、風量が異なれば、電動送風機２自身の発熱に対する冷却効果も変わり、冷却効果が少ないほど、耐久力が低くなり、冷却効果が高いほど、耐久力が高くなる。
【００４１】
図４に「中」ポジションにおける風量に対する電動送風機２の制御特性を示すが、制御手段１０は、電流検出手段２３の検出する風量情報に対して、風量エリアＱ０、Ｑ１、Ｑ２、Ｑ３の各々において異なる位相で電動送風機２の供給電力を制御しており、つまり、切換手段としての電流検出手段２３の検出する電流に応じて電動送風機２への入力を切換えており、第１の計時手段１３は、「中」ポジションにおいて、更に、風量エリアＱ０での運転時間、Ｑ１での運転時間、Ｑ２での運転時間、Ｑ３での運転時間を計時し、書込手段２２は、「中」ポジションの運転時間をＥＥＰＲＯＭ２１に書き込む時に、同様に上記風量エリア毎の運転時間を書き込むので、ポジション毎のみではなく、同一ポジション内でも入力毎の耐久力への影響や風量の影響も把握することができ、電動送風機２の耐久性向上に役立てることができる。
【００４２】
以上のように、本実施の形態においては、第１の計時手段１３で計時した「強」、「中」の運転時間と第２の計時手段１４が計時する時間、更には、「中」ポジションにおいては、風量エリア毎の運転時間を書込手段２２がＥＥＰＲＯＭ２１に記憶するようにしたことにより、電動送風機２の異なる入力レベル毎とに機器の使用時間の実体を把握することができ、実態把握と改善を繰り返すことにより、電動送風機２の信頼性を向上することができる。
【００４３】
この時、マイクロコンピュータ２５や、ＥＥＰＲＯＭ２１の実装された基板や、電動送風機２を回収し、解析を行う者は、表示手段２６で、記憶手段２０の記憶したデータを視認することができるので、簡単に、各ポジションの使用時間を把握することができる。
【００４４】
ここで、第２の計時手段１４の計時する累計の動作時間と、「強」、「中」ポジションの動作時間を記憶したので、機器の総運転時間に占める各ポジションの運転時間の割合を把握することができ、どの入力エリアの耐久力を重点的に改善すればいいか認識することができる。また、総運転時間と「強」、「中」ポジションの運転時間から、「弱」ポジションの運転時間も算出することができ、記憶するデータを削減した、ＥＥＰＲＯＭ２１への書込の効率化を実現することができる。
【００４５】
また、電動送風機２への耐久力へ影響するパラメータとして、電動送風機２の温度があり、電動送風機２自身の冷却効果より、発熱効果の方が遙かに大きく、温度が上がりすぎると、電動送風機２の耐久力は低下してくる。補正手段１９は、温度検出手段１５の検出する電動送風機２近傍の温度により、予め設定した基準温度より高ければ、第１の計時手段１３の計時する時間に補正係数Ｔａ（Ｔａ＞１）をかけて、実際の運転時間より長くなるようにする。Ｋａは、温度のレベルに応じて可変する。逆に基準温度より低ければ補正係数Ｔｂ（Ｔｂ＜１）をかけて、実際の運転時間より短くなるようにする。補正手段１９が補正した運転時間を、書込手段２２がＥＥＰＲＯＭ２１に書込み、記憶することにより、温度の影響を受けた状態の運転時間を記憶するので、実使用での電動送風機２の温度が想定していた温度より高ければ、運転時間は、見かけ上長くなり、低ければ見かけ上短くなるよう温度の影響を運転時間に変換することにより、より精度の高い運転時間の把握を行えると共に、専門知識を有さなくても、簡単に、運転時間の解析を行うことができる。
【００４６】
同様に、湿度が高いほど、腐食等の進行が進み、耐久力が低下するので、湿度検出手段１８の検出する湿度により、予め設定した基準湿度に対し、第１の計時手段１３の計時する時間に補正係数Ｈａ（Ｈａ＞１）をかけて、実際の運転時間より長くなるようにする。Ｈａは、湿度のレベルに応じて可変する。逆に基準湿度より低ければ補正係数Ｈｂ（Ｈｂ＜１）をかけて、実際の運転時間より短くなるようにし、補正手段１９が補正した運転時間を、書込手段２２がＥＥＰＲＯＭ２１に書込み、記憶することにより、精度が向上し、専門知識を有さなくても、簡単に、運転時間の解析を行うことができる。
【００４７】
また、電源１７の電圧に対しても、制御手段１０が電動送風機２を制御する位相が一定であっても電圧が変われば入力が変わるので、電圧検知手段１６の検出する電圧により、予め設定した基準電圧（定格電圧）に対し、第１の計時手段１３の計時する時間に補正係数Ｖａ（Ｖａ＞１）をかけて、実際の運転時間より長くなるようにする。Ｖａは、電圧のレベルに応じて可変する。逆に基準電圧より低ければ補正係数Ｖｂ（Ｖｂ＜１）をかけて、実際の運転時間より短くなるようにし、補正手段１９が補正した運転時間を、書込手段２２がＥＥＰＲＯＭ２１に書込み、記憶することにより、精度が向上し、専門知識を有さなくても、簡単に、運転時間の解析を行うことができる。
【００４８】
（実施の形態２）
図５は本発明の第２の実施の形態の電気掃除機のブロック図である。
【００４９】
図５において、３１は温度検出手段１５が検出する温度が所定温度以上になると、カウントアップする計数手段であり、制御手段１０はこの同じ所定温度を有しており、所定温度以上になると電動送風機２への電力供給を停止し、「停止」ポジションへ移行する構成としている。計数手段３１は、マイクロコンピュータ２５内部で実現される。記憶手段２０は、第１の計時手段１３、第２の計時手段１４が計時する時間、温度検出手段１５が検出する温度、電圧検知手段１６が検出する電圧、湿度検出手段１８が検出する湿度、計数数手段３１の計数するカウント値を記憶する構成としており、ＥＥＰＲＯＭ２１に記憶された前記のデータを、機器の外部に送信する通信手段を有している。
【００５０】
以上のように構成された電気掃除機について、以下その動作、作用を説明する。
【００５１】
電動送風機２が動作することにより発生する熱に対して、電動送風機２自身の冷却効果が低下してくると、電動送風機２の耐久性低下のみではなく、マイクロコンピュータ２５や、双方向生サイリスタ１２の誤動作等、耐久性、信頼性面にも影響を及ぼす。制御手段１０は、電動送風機２の近傍の温度を検出する温度検出手段１５の検出する温度が、予め設定した所定温度に到達すると、正常に動作出来ないかもしれない温度領域であると判断し、保護動作として、電動送風機２への電力供給を停止し、「停止」ポジションへ移行させる。計数手段３１も制御手段１０と同じ所定温度を有しており、この時、計数手段３１は初期設定されたカウント値に対して、＋１のカウントアップを行う。計数手段３１は、機器の電源が投入され、マイクロコンピュータ２５が動作を開始する時、ＥＥＰＲＯＭ２１に保存されたカウント値を読込み、初期値として設定している。
【００５２】
書込手段２２は、ポジションが「停止」に移行する時、カウントアップされた計数手段３１のカウント値を、ＥＥＰＲＯＭ２１に書き込み、同時に第１の計時手段１３と第２の計時手段１４の計時していた「停止」への移行直前の時間をＥＥＰＲＯＭ２１に書き込む。
【００５３】
これにより、電動送風機２の運転時間のみではなく、保護動作の回数も認識でき、耐久性改善、信頼性向上への、より精度の高いフィードバックをかけることができ、また、「停止」移行時にＥＥＰＲＯＭ２１にデータを保存することにより、保護動作を行っても、確実にデータを記憶することができる。
【００５４】
ＥＥＰＲＯＭ２１に記憶したデータを参照するとき、本機器とは、別途、独立した表示手段（図示せず）を準備し、通信手段３２が送信する記憶されたデータを、受信、表示することにより、本機器の構成を複雑にすることなく、データを視認することができ、簡単にデータを把握することができる。
【００５５】
第１の計時手段１３と第２の計時手段１４は、第１の実施の形態で述べたように、「強」、「中」ポジションでの動作時間と、全ポジションの総動作時間を計時しているが、同じ運転時間でも電動送風機２の耐久性に及ぼす影響は、温度、湿度、電源電圧等の使用条件により異なる。
【００５６】
【表１】
2006055255.tif 000003
【００５７】
記憶手段２０は、温度検出手段１５の検出する検出温度を、表１に示すように、データエリア１〜３までの３つのエリアに、最も温度の高い順（Ｔｍａｘ≧Ｔ２≧Ｔ３）に３つ記憶する。現在検出中の温度Ｔが、Ｔｍａｘ＞Ｔとなれば、Ｔ３＝Ｔ２、Ｔ２＝Ｔｍａｘ、Ｔｍａｘ＝Ｔとなるよう更新し、Ｔｍａｘ＞Ｔ＞Ｔ２となれば、Ｔ３＝Ｔ２、Ｔ２＝Ｔとなるよう更新する。
【００５８】
同様に、記憶手段２０は、電圧検知手段１６の検出電圧、湿度検出手段１８の検出湿度に対しても、表１に示すように、Ｖｍａｘ、Ｖ２、Ｖ３と、Ｈｍａｘ、Ｈ２、Ｈ３を記憶するよう動作する。
【００５９】
これにより、運転時間とセットで、温度、湿度、電源電圧の使用条件を同時に把握できるので、使用条件に対応した、電動送風機２の耐久状態、特に、耐久力を低下させる傾向の条件下での、実体を把握することがでる。
【００６０】
【表２】
2006055255.tif 000004
【００６１】
また、記憶手段２０は、表２に示すように、データエリア４〜６までの３つのエリアに、検出温度に対しては、最も温度の低い順（Ｔｍｉｎ≦Ｔ５≦Ｔ６）に、同様に、検出電圧、検出湿度に対しても、Ｖｍｉｎ、Ｖ５、Ｖ６と、Ｈｎｉｎ、Ｈ５、Ｈ６を３つずつ記憶しており、特に、耐久力を想定した状態から良化させる傾向の条件下での、実体を把握することがでる。
【００６２】
従って、電動送風機２の動作時間と、使用実体を把握できるのみではなく、電動送風機２の動作時間を、使用状況に応じた高精度な解析を行うことができ、高耐久性、高信頼性のある電気掃除機の開発につなげることができる。
【００６３】
尚、本実施の形態において、書込手段２２がＥＥＰＲＯＭ２１へ書込みを行うタイミングを「停止」ポジションに移行する時としたが、スイッチ１１でポジションを「停止」に切り換える時も含まれることは言うまでもない。
【００６４】
以上のように、本発明にかかる電気掃除機は、使用者の使い方にかかわらず、高精度で電気掃除機の動作時間や使用実態を把握することが可能となるので、電動送風機等の耐久部品を搭載した機器の検査や使用実態調査等の用途にも適用できる。
【図面の簡単な説明】
【００６５】
【図１】本発明の実施の形態１における電気掃除機のブロック図
【図２】同、電気掃除機の制御のポジション毎の入力動作説明図
【図３】同、電気掃除機の風量−電流特性、風量−真空度（圧力）特性の説明図
【図４】同、電気掃除機の「中」ポジションにおける入力動作説明図
【図５】本発明の実施の形態２における電気掃除機のブロック図
【図６】従来の電気掃除機の概略構成図
【符号の説明】
【００６６】
１０  制御手段
１１  スイッチ
１２  双方向生サイリスタ
１３  第１の計時手段
１４  第２の計時手段
１５  温度検出手段
１６  電圧検知手段
１７  電源
１８  湿度検出手段
１９  補正手段
２０  記憶手段
２１  ＥＥＰＲＯＭ
２２  書込手段
２３  電流検出手段
２５  マイクロコンピュータ
【図１】
2006055255.tif 000005
【図２】
2006055255.tif 000006
【図３】
2006055255.tif 000007
【図４】
2006055255.tif 000008
【図５】
2006055255.tif 000009
【図６】
2006055255.tif 000010